【手続補正書】
【提出日】令和3年10月29日(2021.10.29)
【手続補正１】
【補正対象書類名】特許請求の範囲
【補正対象項目名】全文
【補正方法】変更
【補正の内容】
【特許請求の範囲】
【請求項１】
発光素子（２１）を駆動する発光素子駆動装置（１００）であって、
電源（Ｖ１）によって充電され、前記発光素子に電流を供給するためのコンデンサ（Ｃ１）と、
前記コンデンサから前記発光素子に前記電流を流すための第１配線（Ｗ１）と、
前記発光素子から出力された電流が流れる第２配線（Ｗ２）と、
前記コンデンサに前記電源から充電を行わせる充電状態と、前記コンデンサから前記発光素子に前記電流を供給する放電状態とのいずれかに前記コンデンサの状態を切り替えるための第１スイッチ（ＳＷ１）と、
前記発光素子と並列的に、前記第１配線と前記第２配線とに逆接続されたダイオード（Ｄ１）と、
前記ダイオードに直列的に接続された抵抗体（Ｒ２）と、
を備え、
前記ダイオード（Ｄ１）は、ＦＥＴ（Ｆｉｅｌｄ  Ｅｆｆｅｃｔ  Ｔｒａｎｓｉｓｔｏｒ）に備えられたボディダイオードである、
発光素子駆動装置。
【請求項２】
発光素子（２１）を駆動する発光素子駆動装置（１００）であって、
電源（Ｖ１）によって充電され、前記発光素子に電流を供給するためのコンデンサ（Ｃ１）と、
前記コンデンサから前記発光素子に前記電流を流すための第１配線（Ｗ１）と、
前記発光素子から出力された電流が流れる第２配線（Ｗ２）と、
前記コンデンサに前記電源から充電を行わせる充電状態と、前記コンデンサから前記発光素子に前記電流を供給する放電状態とのいずれかに前記コンデンサの状態を切り替えるための第１スイッチ（ＳＷ１）と、
前記発光素子と並列的に、前記第１配線と前記第２配線とに逆接続されたダイオード（Ｄ１）と、
前記ダイオードに直列的に接続された抵抗体（Ｒ２）と、
を備え、
前記第１スイッチ（ＳＷ１）は、前記第１配線（Ｗ１）に設けられている、
発光素子駆動装置。
【請求項３】
請求項２に記載の発光素子駆動装置であって、
前記ダイオード（Ｄ１）は、ＦＥＴ（Ｆｉｅｌｄ  Ｅｆｆｅｃｔ  Ｔｒａｎｓｉｓｔｏｒ）に備えられたボディダイオードである、発光素子駆動装置。
【請求項４】
請求項１から請求項３までのいずれか一項に記載された発光素子駆動装置（１００）と、
前記発光素子によって光が照射された物体から反射光を受光する受光素子（３１１）と、
前記受光素子によって受光された前記反射光の強度を表す強度信号を出力する強度信号出力部（４１）と、
前記強度信号出力部から逐次出力される前記強度信号からピーク信号を検出し、前記発光素子による光の照射から前記ピーク信号が検出されるまでの時間に応じて前記物体までの距離を測定する測定部（４０）と、
を備える光測距装置（１０）。
【請求項５】
発光素子（２１）を駆動する発光素子駆動装置（１００ｂ）であって、
電源（Ｖ１）によって充電され、前記発光素子に電流を供給するためのコンデンサ（Ｃ１）と、
前記コンデンサから前記発光素子に前記電流を流すための第１配線（Ｗ１）と、
前記発光素子から出力された電流が流れる第２配線（Ｗ２）と、
前記コンデンサに前記電源から充電を行わせる充電状態と、前記コンデンサから前記発光素子に前記電流を供給する放電状態とのいずれかに前記コンデンサの状態を切り替えるための第１スイッチ（ＳＷ１）と、
前記発光素子と並列的に、前記第１配線と前記第２配線とに逆接続されたダイオード（Ｄ１）と、
前記コンデンサの端子間に接続され、前記コンデンサを放電させるための第２スイッチ（ＳＷ２）と、
を備える発光素子駆動装置（１００ｂ）と、
前記発光素子によって光が照射された物体から反射光を受光する受光素子（３１１）と、
前記受光素子によって受光された前記反射光の強度を表す強度信号を出力する強度信号出力部（４１）と、
前記強度信号出力部から逐次出力される前記強度信号からピーク信号を検出し、前記発光素子による光の照射から前記ピーク信号が検出されるまでの時間に応じて前記物体までの距離を測定する測定部（４０）と、
を備える光測距装置（１０）。
【請求項６】
請求項５に記載の光測距装置（１０）であって、
前記第２スイッチは、前記第１スイッチにより前記コンデンサが放電状態とされて前記コンデンサから前記発光素子に前記電流が流れた後に、オンされる、光測距装置（１０）。
【手続補正２】
【補正対象書類名】明細書
【補正対象項目名】０００６
【補正方法】変更
【補正の内容】
【０００６】
本開示の第１の形態によれば、発光素子（２１）を駆動する発光素子駆動装置（１００）が提供される。この発光素子駆動装置は、電源（Ｖ１）によって充電され、前記発光素子に電流を供給するためのコンデンサ（Ｃ１）と、前記コンデンサから前記発光素子に前記電流を流すための第１配線（Ｗ１）と、前記発光素子から出力された電流が流れる第２配線（Ｗ２）と、前記コンデンサに前記電源から充電を行わせる充電状態と、前記コンデンサから前記発光素子に前記電流を供給する放電状態とのいずれかに前記コンデンサの状態を切り替えるための第１スイッチ（ＳＷ１）と、前記発光素子と並列的に、前記第１配線と前記第２配線とに逆接続されたダイオード（Ｄ１）と、前記ダイオードに直列的に接続された抵抗体（Ｒ２）と、を備え、前記ダイオード（Ｄ１）は、ＦＥＴ（Ｆｉｅｌｄ  Ｅｆｆｅｃｔ  Ｔｒａｎｓｉｓｔｏｒ）に備えられたボディダイオードである。
また、本開示の第２の形態によれば、発光素子（２１）を駆動する発光素子駆動装置（１００）が提供される。この発光素子駆動装置は、電源（Ｖ１）によって充電され、前記発光素子に電流を供給するためのコンデンサ（Ｃ１）と、前記コンデンサから前記発光素子に前記電流を流すための第１配線（Ｗ１）と、前記発光素子から出力された電流が流れる第２配線（Ｗ２）と、前記コンデンサに前記電源から充電を行わせる充電状態と、前記コンデンサから前記発光素子に前記電流を供給する放電状態とのいずれかに前記コンデンサの状態を切り替えるための第１スイッチ（ＳＷ１）と、前記発光素子と並列的に、前記第１配線と前記第２配線とに逆接続されたダイオード（Ｄ１）と、前記ダイオードに直列的に接続された抵抗体（Ｒ２）と、を備え、前記第１スイッチ（ＳＷ１）は、前記第１配線（Ｗ１）に設けられている。
【手続補正３】
【補正対象書類名】明細書
【補正対象項目名】０００７
【補正方法】変更
【補正の内容】
【０００７】
これらの形態の発光素子駆動装置によれば、発光素子と並列的にダイオードが接続されているので、第２配線の寄生インダクタンスによってサージ電圧が発生したとしても、発光素子に逆方向に電流が流れることを抑制できる。そのため、サージ電圧の発生によって発光素子が劣化することを抑制できる。また、ダイオードには直列的に抵抗体が接続されているので、サージ電圧によってコンデンサが再充電されることを抑制できる。この結果、サージ電圧の発生に伴って、発光素子に２次発光が発生することを抑制できる。
【手続補正４】
【補正対象書類名】明細書
【補正対象項目名】０００８
【補正方法】変更
【補正の内容】
【０００８】
本開示の第３の形態によれば、光測距装置（１０）が提供される。この光測距装置は、発光素子（２１）を駆動する発光素子駆動装置（１００ｂ）であって、電源（Ｖ１）によって充電され、前記発光素子に電流を供給するためのコンデンサ（Ｃ１）と、前記コンデンサから前記発光素子に前記電流を流すための第１配線（Ｗ１）と、前記発光素子から出力された電流が流れる第２配線（Ｗ２）と、前記コンデンサに前記電源から充電を行わせる充電状態と、前記コンデンサから前記発光素子に前記電流を供給する放電状態とのいずれかに前記コンデンサの状態を切り替えるための第１スイッチ（ＳＷ１）と、前記発光素子と並列的に、前記第１配線と前記第２配線とに逆接続されたダイオード（Ｄ１）と、前記コンデンサの端子間に接続され、前記コンデンサを放電させるための第２スイッチ（ＳＷ２）と、を備える発光素子駆動装置（１００ｂ）と、前記発光素子によって光が照射された物体から反射光を受光する受光素子（３１１）と、前記受光素子によって受光された前記反射光の強度を表す強度信号を出力する強度信号出力部（４１）と、前記強度信号出力部から逐次出力される前記強度信号からピーク信号を検出し、前記発光素子による光の照射から前記ピーク信号が検出されるまでの時間に応じて前記物体までの距離を測定する測定部（４０）と、を備える。
【手続補正５】
【補正対象書類名】明細書
【補正対象項目名】０００９
【補正方法】変更
【補正の内容】
【０００９】
この形態の光測距装置によれば、発光素子と並列的にダイオードが接続されているので、第２配線の寄生インダクタンスによってサージ電圧が発生したとしても、発光素子に逆方向に電流が流れることを抑制できる。そのため、サージ電圧の発生によって発光素子が劣化することを抑制できる。また、コンデンサの端子間には、コンデンサを放電させるための第２スイッチが設けられているので、サージ電圧の発生によってコンデンサが再充電されたとしても、第２スイッチをオンすることによって、コンデンサを放電させることができる。この結果、サージ電圧の発生に伴って、発光素子に２次発光が発生することを抑制できる。